(57)【要約】【課題】鍵の操作により動作する機能スイッチを備えた施錠装置において、スイッチ用作動杆を不要として部品点数を削減することができ、作動杆を不正に動かして行なう不正解錠を防止することができるゲーム機の施錠装置を提供する。【解決手段】ラッチ部材１０は、前扉の閉鎖時に受け具３１に押されてラッチ位置に回動した時、ラッチ位置に係止される。シリンダ錠７によりカム部材２１を解錠方向に回動させたとき、作動杆４が移動して係止が解除されてラッチ部材１０が解錠側に回動する。作動杆４の一部にスイッチ作動部４ｅが設けられ、スイッチ作動部の移動によってスイッチングする機能スイッチ１７が基枠体１側に固定される。シリンダ錠７によりカム部材２１をラッチ部材の解錠側と反対方向に回動させたとき、カム部材２１によってスイッチ作動部４ｅがラッチ部材の解錠方向と反対方向に移動して機能スイッチ１７が動作する。【選択図】図１
2008168066.tif 000002
【特許請求の範囲】
【請求項１】
取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前扉の内側に取り付けられ、ゲーム機のキャビネットの内側に受け具が取り付けられるゲーム機の施錠装置であって、
該基枠体の支持板の上部と下部に該受け具の進入を許容する開口凹部が形成され、該開口凹部内の受け具を拘束する溝状のロック凹部を有するラッチ部材が上部と下部の該開口凹部の近傍に各々回動可能に枢支され、該ラッチ部材は、前扉の閉鎖時に該ラッチ部材が該受け具に押されてラッチ位置に回動した時、ラッチ位置に係止され、該シリンダ錠によりカム部材を該ラッチ部材の解錠方向に回動させたとき、作動杆が移動して係止が解除されて該ラッチ部材が解錠側に回動するゲーム機の施錠装置において、
該作動杆の一部にスイッチ作動部が設けられ、該スイッチ作動部の移動によってスイッチングする機能スイッチが該基枠体側に固定され、該シリンダ錠により該カム部材を該ラッチ部材の解錠側と反対方向に回動させたとき、該カム部材によって該スイッチ作動部が該ラッチ部材の解錠方向と反対方向に移動して該スイッチ作動部が機能スイッチを動作させることを特徴とするゲーム機の施錠装置。
【請求項２】
前記作動杆には該作動杆を上下方向に付勢するばね部材が装着され、該ばね部材として１本のコイルばねが１対の移動部材間に掛け渡され、該移動部材は該作動杆と前記基枠体の支持板に形成した各ガイド孔に上下動可能に係合して配設されたことを特徴とする請求項１記載のゲーム機の施錠装置。
【請求項３】
取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前扉の内側に取り付けられ、ゲーム機のキャビネットの内側に受け具が取り付けられるゲーム機の施錠装置であって、
該基枠体の支持板の上部と下部に該受け具の進入を許容する開口凹部が形成され、該開口凹部内の受け具を拘束する溝状のロック凹部を有するラッチ部材が上部と下部の該開口凹部の近傍に各々回動可能に枢支され、該ラッチ部材は、前扉の閉鎖時に該ラッチ部材が該受け具に押されてラッチ位置に回動した時、ラッチ位置に係止され、該シリンダ錠によりカム部材を該ラッチ部材の解錠方向に回動させたとき、作動杆が移動して係止が解除されて該ラッチ部材が解錠側に回動するゲーム機の施錠装置において、
該作動杆にロック用係止部が設けられ、該基枠体の一部に第２シリンダ錠が取り付けられ、施錠時に該ロック用係止部に係止されて該作動杆の解錠方向への移動を阻止し且つ前記カム部材と該作動杆との係合を阻止するロック部材が、該第２シリンダ錠の錠軸に固定されたことを特徴とするゲーム機の施錠装置。
【請求項４】
前記ラッチ部材には係止ピンが移動可能に前記支持板側に突出して設けられ、該支持板の上部と下部には該係止ピンが係合するガイド係止孔が設けられ、前記作動杆の上部と下部には解錠時に該ラッチ部材の該係止ピンに係合して解錠方向に動かすための作動係合部が設けられ、該ラッチ部材が受け具に押されてラッチ位置に回動した時、該ラッチ部材の係止ピンが該支持板のガイド係止孔のロック部に係合して該ラッチ部材をラッチ位置に保持するように構成され、該ラッチ部材は、前記係止ピンを移動可能に保持すると共に、該係止ピンを施錠側に付勢し且つラッチ部材自体を解錠側に付勢するためのばね部材が内蔵されたことを特徴とする請求項１又は３記載のゲーム機の施錠装置。
【請求項５】
前記ラッチ部材には前記支持板側に係合孔が設けられ、該支持板に突設された支持凸部が該係合孔内に移動可能に挿入され、前記ばね部材が該支持凸部に当接して、該ラッチ部材が解錠側に付勢されていることを特徴とする請求項４記載のゲーム機の施錠装置。
【請求項６】
前記ラッチ部材は、ラッチ本体と該ラッチ本体の側部を覆うカバー板とから構成され、該カバー板に前記係合孔と前記係止ピンが突出するガイド孔が形成され、該ラッチ本体内に形成された空間に前記ばね部材と係止ピンが収容されたことを特徴とする請求項５記載のゲーム機の施錠装置。
【発明の詳細な説明】
【技術分野】
【０００１】
本発明は、スロットマシンなどのゲーム機の前扉（前面枠）をキャビネット（本体枠）に対し施錠するゲーム機の施錠装置に関し、特に部品点数を削減できると共に、不正解錠を防止することができるゲーム機の施錠装置に関する。
【背景技術】
【０００２】
従来、パチンコ機などゲーム機の施錠装置として、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム部材が取り付けられた構成の施錠装置が使用されている。
【０００３】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠を本体枠に対し、円滑且つ確実に施錠・解錠することができるゲーム機の施錠装置を提案した（下記の特許文献１を参照）。
【特許文献１】特開２００４−１０５４１７号公報
【発明の開示】
【発明が解決しようとする課題】
【０００５】
この施錠装置は、取付板と支持板とを有する基枠体の内側に長尺の作動杆が摺動可能に配設され、取付板の中間部にシリンダ錠が固定され、シリンダ錠の錠軸にカム部材が作動杆に係合可能に取り付けられ、基枠体の取付板が前面枠の内側に取り付けられ、本体枠の内側に受け具が取り付けられる。基枠体の支持板の上部と下部に受け具の進入を許容する開口凹部が形成され、開口凹部内の受け具を拘束する溝状のラッチ凹部を有するラッチ部材が上部と下部の開口凹部の近傍に各々回動可能に枢支される。
【０００６】
ラッチ部材には係止ピンが移動可能に取り付けられ、支持板には係止ピンの先端が係合しガイドされるガイド係止孔がロック部を有して形成され、作動杆にはその移動時にラッチ部材の係止ピンに係合してロック部によるロックを外すように動作する作動係合部が設けられ、ラッチ部材を解錠側に付勢するばね部材が内蔵される。
【０００７】
そして、この施錠装置は、前面枠を閉じて施錠操作を行なったとき、上部と下部のラッチ部材のラッチ凹部に受け具の係止部が嵌入し、その係止部に押されてラッチ部材がラッチ位置に回動した時、ラッチ部材の係止ピンがガイド係止孔からロック部に移動して、ラッチ部材をラッチ位置にロックし、施錠する。
【０００８】
ところで、この種の施錠装置がゲーム機に使用されて、パチンコホールなどに設置された場合、前面枠の隙間から差し込まれた針金等の不正器具を作動杆に引っ掛け、解錠方向に引いた際、不正解錠が可能となる虞があった。
【０００９】
また、この種のゲーム機の施錠装置には、ゲームのリセットなどに使用される機能スイッチが取り付けられる場合があり、この場合には、基枠体内にスイッチ用作動杆が摺動可能に配設され、シリンダ錠の操作によりカム部材を解錠側とは反対方向に回動させたとき、カム部材がスイッチ用作動杆に係合してこれを移動させ、機能スイッチをスイッチングさせることができる。
【００１０】
しかしながら、このスイッチ用作動杆が基枠体内に配設されると、スイッチ用作動杆をガイド保持するガイド孔やガイドピンなどのガイド部が必要となることに加え、スイッチ用作動杆を非作動方向に付勢するためのばね部材が必要となるなど、部品点数が増大し、組み付けの加工工数も増大するという課題があった。
【００１１】
本発明は、上記の点に鑑みてなされたもので、シリンダ錠の操作に応じて機能する機能スイッチを備えた施錠装置において、スイッチ用作動杆を不要として部品点数を削減することができ、作動杆を不正に動かして行なう不正解錠を防止することができるゲーム機の施錠装置を提供することを目的とする。
【課題を解決するための手段】
【００１２】
上記目的を達成するために、本発明の請求項１の施錠装置は、取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前扉の内側に取り付けられ、ゲーム機のキャビネットの内側に受け具が取り付けられるゲーム機の施錠装置であって、該基枠体の支持板の上部と下部に該受け具の進入を許容する開口凹部が形成され、該開口凹部内の受け具を拘束する溝状のロック凹部を有するラッチ部材が該支持板の上部と下部の該開口凹部の近傍に各々回動可能に枢支され、該ラッチ部材は、前扉の閉鎖時に該ラッチ部材が該受け具に押されてラッチ位置に回動した時、ラッチ位置に係止され、該シリンダ錠によりカム部材を該ラッチ部材の解錠方向に回動させたとき、作動杆が移動して係止が解除されて該ラッチ部材が解錠側に回動するゲーム機の施錠装置において、該作動杆の一部にスイッチ作動部が設けられ、該スイッチ作動部の移動によってスイッチングする機能スイッチが該基枠体側に固定され、該シリンダ錠により該カム部材を該ラッチ部材の解錠側と反対方向に回動させたとき、該カム部材によって該スイッチ作動部が該ラッチ部材の解錠方向と反対方向に移動して該スイッチ作動部が機能スイッチを動作させることを特徴とする。
【００１３】
ここで、上記施錠装置においては、請求項２のように、上記作動杆に該作動杆を上下方向に付勢するばね部材が装着され、該ばね部材として１本のコイルばねが１対の移動部材間に掛け渡され、該移動部材は該作動杆と前記基枠体の支持板に形成した各長孔に上下動可能に係合して配設することができる。
【００１４】
また、本発明の請求項３の施錠装置は、取付板と支持板とを有する基枠体の該支持板に沿って長尺の作動杆が摺動可能に配設され、該取付板にシリンダ錠が固定され、該シリンダ錠の錠軸にカム部材が該作動杆に係合可能に取り付けられ、該基枠体の取付板がゲーム機の前扉の内側に取り付けられ、ゲーム機のキャビネットの内側に受け具が取り付けられるゲーム機の施錠装置であって、該基枠体の支持板の上部と下部に該受け具の進入を許容する開口凹部が形成され、該開口凹部内の受け具を拘束する溝状のロック凹部を有するラッチ部材が上部と下部の該開口凹部の近傍に各々回動可能に枢支され、該ラッチ部材は、前扉の閉鎖時に該ラッチ部材が該受け具に押されてラッチ位置に回動した時、ラッチ位置に係止され、該シリンダ錠によりカム部材を該ラッチ部材の解錠方向に回動させたとき、作動杆が移動して係止が解除されて該ラッチ部材が解錠側に回動するゲーム機の施錠装置において、該作動杆にロック用係止部が設けられ、該基枠体の一部に第２シリンダ錠が取り付けられ、施錠時に該ロック用係止部に係止されて該作動杆の解錠方向への移動を阻止し且つ前記カム部材と該作動杆との係合を阻止するロック部材が、該第２シリンダ錠の錠軸に固定されたことを特徴とする。
【００１５】
ここで、上記請求項１または３の施錠装置では、請求項４のように、上記ラッチ部材には係止ピンが移動可能に前記支持板側に突出して設けられ、該支持板の上部と下部には該係止ピンが係合するガイド係止孔が設けられ、前記作動杆の上部と下部には解錠時に該ラッチ部材の該係止ピンに係合して解錠方向に動かすための作動係合部が設けられ、該ラッチ部材が受け具に押されてラッチ位置に回動した時、該ラッチ部材の係止ピンが該支持板のガイド係止孔のロック部に係合して該ラッチ部材をラッチ位置に保持するように構成され、該ラッチ部材は、前記係止ピンを移動可能に保持すると共に、該係止ピンを施錠側に付勢し且つラッチ部材自体を解錠側に付勢するためのばね部材を内蔵するように構成することができる。
【００１６】
また、請求項５のように、上記ラッチ部材には支持板側に係合孔が設けられ、該支持板に突設された支持凸部が該係合孔内に移動可能に挿入され、ばね部材が該支持凸部に当接して、該ラッチ部材を解錠側に付勢するように構成することができる。
【００１７】
また、請求項６のように、上記ラッチ部材は、ラッチ本体と該ラッチ本体の側部を覆うカバー板とを備えて構成され、該カバー板に上記係合孔と係止ピンが突出するガイド孔が形成され、該ラッチ本体内に形成され該カバー板によりカバーされた空間に、上記ばね部材と係止ピンを収容することができる。
【発明の効果】
【００１８】
上記構成の施錠装置は、ゲーム機の前扉をキャビネットに対し閉じると、受け具が支持板の開口凹部からラッチ部材のラッチ凹部内に進入し、受け具がラッチ部材を押し込むようにしてラッチ部材が回動し、ラッチ部材の溝状のラッチ凹部内に受け具が拘束された状態となる。この時、ラッチ部材の係止ピンが支持板側のガイド係止孔のロック部に進入して係止されるため、ラッチ部材がそのラッチ位置に保持され、受け具はラッチ部材のラッチ凹部内にロックされ施錠状態となる。
【００１９】
解錠する際、請求項３のように、第２シリンダ錠が装着される場合、先ず、第２シリンダ錠を操作してロック部材を回動させ、作動杆のロック用係止部に対するロック部材の係止を解除する。次に、シリンダ錠の鍵を解錠方向に回し、カム部材が同方向に回動すると、そこに係合する作動杆が移動し、その作動係合部が係止ピンに作用し動かす。これにより、係止ピンが支持板のガイド係止孔のロック部から外れ、このとき、ラッチ部材はばね部材の付勢力によって解錠側に回動し、ロックされていた受け具がラッチ部材のラッチ凹部から外れ、開口凹部から押し出され、解錠状態となる。
【００２０】
施錠状態においては、ロック部材が作動杆のロック用係止部に係止されて作動杆の解錠方向への移動をロックされる状態にあるため、前扉の隙間から針金などの不正器具を差し込んで作動杆に引っ掛け、これを解錠方向に動かそうとしても不可能であり、作動杆の移動による不正解錠を防止することができる。
【００２１】
一方、機能スイッチを動作させる場合、シリンダ錠の鍵を解錠時とは反対方向に回すと、カム部材が同方向に回動し、そこに係合する作動杆が移動し、それにより、作動杆に設けたスイッチ作動部が機能スイッチに作用し、機能スイッチがスイッチング動作し、ゲーム機のリセットなどが行なわれる。
【００２２】
このように、作動杆が解錠用とスイッチ作動用に兼用されるため、従来の施錠装置で使用されるスイッチ作動杆は不要となり、部品点数を削減し、組み立て作業を簡単化することができる。
【００２３】
また、請求項２のように、１本のコイルばねを１対の移動部材間に掛け渡し、移動部材は作動杆と基枠体の支持板に形成した各ガイド孔に上下動可能に係合して配設し、このばね部材によって、作動杆を上下両方向にフローティング状態で支持することができる。したがって、作動杆は単純に１本のコイルばねによって、その動作機能を発揮することができ、部品点数を削減して構造を簡単化することができる。
【発明を実施するための最良の形態】
【００２４】
以下、本発明の一実施形態を図面に基づいて説明する。図１はスロットマシンなどのゲーム機の施錠装置の左側面図、図２は同施錠装置の右側面図、図３は同背面図と平面図を示している。また、図４、図５は同施錠装置の分解右側面図と分解背面図を示している。この施錠装置は、概略的には、受け具３１の係止部３３，３４に係止されるラッチ部材１０，１０を、支持板３の上部と下部に枢軸５、５を軸に回動可能に枢支し、ラッチ部材１０，１０の溝状のラッチ凹部１５，１５内に、係止部３３，３４の円柱部４１を嵌入し拘束して施錠する構造である。
【００２５】
施錠装置は、縦長の基枠体１を有し、基枠体１は略コ字状断面を有したチャンネル材状に形成され、その底板を取付板２とし、取付板２に対し直角に曲折された幅広の支持板３を有しており、取付板２には複数の取付孔が穿設される。取付板２の上端部に、拡幅部２ａが幅広に形成され、その拡幅部２ａにはシリンダ錠７を取り付けるための挿入孔が形成される。シリンダ錠７はその挿入孔に内側から挿入され、そのフランジ７ａを拡幅部２ａの内側に当てて固定される。また、拡幅部２ａの側部の支持板は、分割支持板３ａとして分割して形成され、その分割支持板３ａの下部に支持ローラ２２が回転自在に軸支される。
【００２６】
支持板３の上部と下部の背面側に、その支持板３の一部を切り欠くように開口凹部３ｂ、３ｃが形成され、この上部と下部の開口凹部３ｂ、３ｃの真下位置に各々、ラッチ部材１０，１０が枢軸５，５を軸に所定の角度範囲で回動可能に枢支される。このラッチ部材１０，１０は、施錠時、受け具３１の係止部３３，３４が開口凹部３ｂ、３ｃに進入し、開口凹部３ｂ、３ｃの真下位置に枢支されたラッチ部材１０が係止部３３，３４の円柱部４１をそのラッチ凹部１５内に受け入れながら回動し、係止部３３，３４を拘束してする構造となっている。更に、図４に示すように、上部と下部の開口凹部３ｂ、３ｃの少し下方に各々、ラッチ部材１０側の係止ピン１４をガイドし且つ係止するガイド係止孔８，８が支持板３に形成されている。
【００２７】
このガイド係止孔８，８は図４のように略Ｌ字状に形成され、支持板３と平行な部分がロック部８ａ，８ａとして形成され、ラッチ部材１０、１０の係止ピン１４が、カバー板１２のガイド孔１２ａ，１２ａを移動し、同時にガイド係止孔８、８からそのロック部８ａ，８ａに進入したとき、ラッチ部材１０はラッチ状態となりロックされる。
【００２８】
さらに、上部と下部のガイド係止孔８，８の少し上の支持板３に各々、支持凸部９、９が内側つまりラッチ部材１０，１０側に突出して設けられる。この支持凸部９、９は、図６ｂに示すように、ラッチ部材１０の内側面に形成された円弧状の係合凹部１２ｂに進入し、ばね部材１３に当接する。これにより、ラッチ部材１０は、施錠時、図１４のように、ばね部材１３の付勢力に抗して回動し、解錠時に係止ピン１４がロック部８ａからガイド係止孔８側に外れたとき、ラッチ部材１０はばね部材１３の付勢力により解錠方向に回動する。
【００２９】
図６に示すように、ラッチ部材１０には、受け具３１の係止部３３，３４を受け入れて拘束する溝状のラッチ凹部１５が形成され、更に、ラッチ部材１０内には、ラッチ部材１０をラッチ状態に係止するための係止ピン１４と付勢用のばね部材１３が内蔵される。また、ラッチ部材１０は、図６のように、ラッチ本体１１とそれを覆うカバー板１２とを有して形成され、ラッチ本体１１内には空間が形成され、その内部空間にばね部材１３と係止ピン１４が収納される。
【００３０】
ラッチ本体１１は、ポリアセタール樹脂、ポリアミド樹脂などの耐摩耗性の高い硬質合成樹脂を用いて成形され、カバー板１２は、補強のために金属板から形成される。ラッチ本体１１を成形する成形材料には、二硫化モリブデンなどの滑剤が添加されており、これによって、ラッチ部材１０の外面を形成するラッチ本体１１に適度な滑性をもたせ、受け具３１側の係止部３３，３４の円柱部４１を滑らかに嵌入する形態となっている。また、ラッチ本体１１の内側面に金属板のカバー板１２を固定ねじ１２ａで固定することにより、ラッチ部材１０の強度を補強している。また、カバー板１２は、端部に係止片１２ｄを設け、その係止片１２ｄをラッチ本体１１に設けたスリットに差し込んで係止させ、１本の固定ねじ１２ｃで固定できるようにしている。
【００３１】
ラッチ部材１０に内蔵される係止ピン１４は、ラッチ部材１０をラッチ位置に回動させたとき、その位置で支持板３のガイド係止孔８のロック部８ａに係止させてロックさせるもので、カバー板１２に形成されたガイド孔１２ａから支持板３側に突き出して配設され、ばね部材１３により常に外側に付勢されている。
【００３２】
ばね部材１３は、図６に示す如く、２個の円形コイル部を有する捻りばねであり、その一方の円形コイル部１３ａをラッチ本体１１の枢軸ボス部に嵌合させ、他方の円形コイル部１３ｂをラッチ本体１１内の偏倚位置に突設した係止ボス部１１ａに嵌合させて装着され、ばね部材１３の一端で係止ピン１４を付勢し、その他端で支持板３の内側に突設した支持凸部９を付勢するように掛止されている。ラッチ部材１０のカバー板１２に形成された円弧状の係合凹部１２ｂには、支持板３側の支持凸部９が進入して係合され、ラッチ部材１０内のばね部材１３の他端がその支持凸部９に係合している。つまり、このばね部材１３の他端が支持凸部９に係合することにより、ラッチ部材１０は相対的に解錠側（図１５の時計方向）にばね力を受けて付勢される。
【００３３】
図６のように、ラッチ部材１０は、内部にばね部材１３及び係止ピン１４を内蔵してユニット化され、ラッチ本体１１内に係止ピン１４、ばね部材１３を組み込み、カバー板１２を固定ねじ１２ｃで固定して、施錠装置の組立工程の前に予め製造しておくことができる。これにより、施錠装置の製造ラインでは、このラッチ部材１０を枢軸５で軸支するだけでよく、組付け作業は簡単となる。
【００３４】
縦長で帯状の作動杆４が、基枠体１の支持板３の外側及び分割支持板３ａの内側に沿って摺動可能に配設される。作動杆４には、図４に示すように、その上部と下部に作動係合部４ａ，４ｂが支持板３側で且つラッチ部材１０側に向けて突設される。また、作動係合部４ａ，４ｂは、上記ラッチ部材１０、１０の係止ピン１４、１４が配置されるガイド係止孔８、８のロック部８ａ，８ａ近傍に位置しており、解錠時には、その作動係合部４ａ，４ｂの先端でロック部８ａ，８ａ内の係止ピン１４、１４を押して、ロックを解除する構造である。なお、作動係合部４ａ，４ｂは作動杆４の内側に配置されてその外側が金属板で覆われた形態にあり、ガイド係止孔８，８を通して支持板３の外側の僅かに突出した係止ピン１４，１４の先端に作用する構造である。
【００３５】
また、作動杆４には後述のカム部材２１が係合するための係合孔４ｃ、４ｄが、その対応箇所である上部に形成されている。さらに、作動杆４の作動係合部４ａ，４ｂの真下位置にガイド孔４ｇ、４ｇが形成され、ガイドピン６，６がこのガイド孔４ｇ、４ｇに挿通されて支持板３に固定され、これにより、作動杆４の上下摺動がガイドピン６，６によりガイドされる。
【００３６】
作動杆４は支持板３の外側に沿って且つ分割支持板３ａの内側に沿って配設され、１本のばね部材（コイルばね）１６により、作動杆４は上下にフローティング状態で支持される。これにより、作動杆４は、カム部材２１の可動により上又は下に移動したとき、ばね部材１６の付勢力を受けて中立位置に復帰可能となっている。
【００３７】
具体的には、図４に示すように、ガイドピン１６ｃ、１６ｄが支持板３の内側から、その支持板３に設けたガイド孔３ｄ，３ｅから挿入される。さらに支持板３の外側に位置する作動杆４のガイド孔４ｆ，４ｅに、ガイドピン１６ｃ、１６ｄの先端が挿通され、作動杆４の外側に突出したその先端に各々ばね掛け部材１６ａ，１６ｂが固定され、両側のばね掛け部材１６ａ，１６ｂ間にばね部材１６が掛けられる。これにより、作動杆４は図８の中立位置から上方に及び下方にばね部材１６の付勢力に抗して移動可能であり、作動杆４がシリンダ錠７によるカム部材２１の回動動作によって上方又は下方に移動したとき、移動力の消失により中立位置に戻る構造となっている。
【００３８】
また、この作動杆４は、解錠作動用とスイッチ作動用に兼用とされ、作動杆４の下部寄りにスイッチ作動部４ｅが突設される。一方、スイッチ作動部４ｅに対応した支持板３の箇所に、機能スイッチ（光電式の非接触スイッチ）１７が取り付けられ、作動杆４を下降させたとき、スイッチ作動部４ｅが機能スイッチ１７に作用して機能スイッチ１７をスイッチング動作させる。この機能スイッチ１７はゲーム機のリセットなどに使用される。
【００３９】
このように、解錠用の作動杆４を、解錠作動用とスイッチ作動用に兼用することにより、従来、必要としていた作動スイッチ用の作動杆やそれを付勢するコイルばねが不要となり、部品点数を削減し、施錠装置の構造を簡単化することができる。
【００４０】
図５に示すように、基枠体１の取付板２の上部の拡幅部２ａに大径孔が形成され、その大径孔に内側から挿入する形態でシリンダ錠７が装着される。シリンダ錠７はフランジ７ａを有しそのフランジ７ａを取付板２の拡幅部２ａにねじ止めして固定される。シリンダ錠７の錠軸は基枠体１の内側に突出し、その先端にカム部材２１が固定される。カム部材２１には第１の係合凸部２１ａと第２の係合凸部２１ｂが形成され、その第１の係合凸部２１ａは、シリンダ錠７の鍵の右回転に応じて作動杆４の係合孔４ｄと係合し、第２の係合凸部２１ｂはその左回転に応じて作動杆４の係合孔４ｃに係合する。
【００４１】
したがって、シリンダ錠７の鍵を右に回すと、カム部材２１が同方向に回動して、カム部材２１の係合凸部２１ａが作動杆４の係合孔４ｄに係合し、ばね部材１６の付勢力に抗して作動杆４を上昇させ、その作動係合部４ａ，４ｂによりラッチ部材１０，１０の係止ピン１４を押し上げて、ラッチ部材１０，１０を解錠動作させる。一方、シリンダ錠７の鍵を左に回すと、カム部材２１が同方向に回動して、カム部材２１の係合凸部２１ｂが係合孔４ｃに係合し、ばね部材１６の付勢力に抗して作動杆４を下降させ、そのスイッチ作動部４ｅが機能スイッチ１７内に進入し、機能スイッチをスイッチング動作させる。
【００４２】
さらに、基枠体１の上部における取付板２の背面側に、第２シリンダ錠１９が装着される。この第２シリンダ錠１９の錠軸には、ロック部材１８が固定され、ロック部材１８の先端部は取付板２の拡幅部２ａに設けたスリット２ｃ（図５）から基枠体１の内側に進入し、カム部材２１と作動杆４の間に挿入され、カム部材２１の回動による作動杆４の解錠方向への移動を阻止する。
【００４３】
作動杆４は、この第２シリンダ錠１９のロック部材１８によって、解錠側（上方）への移動が阻止されるが、スイッチ作動方向（下方向）に作動杆４の移動を可能とするために、ロック部材１８には、カム部材２１のスイッチ作動方向への回動時、その係合凸部２１ｂが進入可能な開口部１８ａが形成される。これにより、第２シリンダ錠１９がロック状態にあっても、カム部材２１はスイッチ作動方向に回動可能であり、作動杆４も下方に移動可能である。
【００４４】
さらに、このロック部材１８は、図１、図２のように、ロック位置にある場合、作動杆４の対応位置に突設したロック用係止部４ｈに当接して、作動杆４の解錠方向への移動を阻止する。これにより、施錠状態における作動杆４の解錠方向への移動がロックされ、針金などによる不正解錠が防止される。すなわち、図４、図５に示すように、作動杆４におけるロック部材１８の近傍位置にロック用係止部４ｈが内側に突設される。第２シリンダ錠１９の錠軸に固定されるロック部材１８が、図７のように、第２シリンダ錠１９のロック操作によりカム部材２１側に回動したロック状態のとき、ロック部材１８の先端部がロック用係止部４ｈに当接して作動杆４の上方への摺動を阻止する。
【００４５】
第２シリンダ錠１９は、上記のように、シリンダ錠７と共に施錠装置を二重にロックする機能を有し、シリンダ錠７の解錠操作をロックする。したがって、解錠時には、第２シリンダ錠１９の鍵により解錠操作した後、さらにシリンダ錠７を解錠操作して、解錠するようにして、セキュリティをより向上させている。また、第２シリンダ錠１９は、取付板２の上部背面側に突設した取付座部２ｂに固定され、第２シリンダ錠１９の鍵口は施錠装置本体の右側面に向いて配置され、施錠装置をゲーム機の前扉５１に取り付けたとき、その鍵口は前扉５１の右側面に現れ、ゲーム機の正面側から目立たないようにしている。
【００４６】
次に、施錠装置のラッチ部材１０に対応して、ゲーム機のキャビネット５０側に固定される受け具３１について説明する。受け具３１は、図８〜図１０に示すように、基本的には、縦長の帯状金属板の上部と下部に係止部３３，３４を設けて形成され、帯状金属板の部分が取付部３２となり、取付部３２には複数の固定孔が穿設され、その取付部３２の右側面をゲーム機のキャビネット５０の右側壁の内側に当てて固定される。
【００４７】
上部と下部の係止部３３，３４は、帯状金属板の一部を矩形に切り起し、正面側に略直角に曲折して係止芯部３５，３６が形成され、図１０に示すように、上部と下部の係止芯部３５，３６に、合成樹脂製被覆部４０が係止芯部３５，３６の元部側から係止芯部３５，３６の縁部を被覆する形態で嵌め込まれて構成される。上部と下部の係止部３３，３４は、略同様な形状、構造を有して形成されている。
【００４８】
金属板により矩形板状に形成された係止芯部３５，３６の先端は、背面側に略直角に曲折された曲げ先端部３５ａ，３６ａを有している。また、図１０に示すように、係止芯部３５，３６の曲折部となる上下縁部の元部には、嵌入用凹部３５ｂ、３６ｂが形成され、合成樹脂製被覆部４０をこの元部から係止芯部３５、３６の両側縁部を挟むように嵌入可能となっている。
【００４９】
合成樹脂製被覆部４０は、ポリアセタール樹脂、ポリアミド樹脂などの耐摩耗性の高い硬質合成樹脂により成形され、図１０に示すように、上端部と下端部に、つまり係止芯部３５，３６の縁部を被覆する箇所に、略円柱状の円柱部４１が形成される。また、この合成樹脂製被覆部４０を成形する成形材料には、二硫化モリブデンなどの滑剤が添加されており、合成樹脂製被覆部４０の円柱部４１は適度な滑性を有し、施錠装置側のラッチ部材のラッチ凹部に対し滑らかに嵌合する形態となっている。
【００５０】
円柱部４１の外径は、後述の施錠装置におけるラッチ部材のラッチ凹部に密に嵌入可能な寸法に形成されている。上部と下部の円柱部４１の間は、係止芯部３５，３６の背面側を覆う板状部により連続し、その板状部に沿って円柱部４１の内側に、溝部４２が円柱の軸方向に沿って形成され、上部と下部の溝部４２に係止芯部３５，３６の上下の縁部を嵌入可能に形成されている。図１０に示すように、溝部４２の挿入側の一端は開口し、他端は閉鎖されている。合成樹脂製被覆部４０は、受け具３１の右側面側から係止芯部の縁部を両側から挟む形態で、上下の溝部４２を縁部に差し込み、係止芯部３５、３６の元部側から摺動させて嵌め込まれるが、その差し込み先端は係止芯部３５，３６の先端の曲げ先端部３５ａ，３６ａに当接し停止する。
【００５１】
図１０に示す如く、合成樹脂製被覆部４０は、係止芯部３５，３６に対し、受け具３１の取付部３２の右側面側から、その縁部を溝部４２に差し込むように嵌め込むが、この受け具３１は、その取付部３２の右側面を、ゲーム機のキャビネット内側の被取付部に当てて固定するため、受け具３１をキャビネットに固定した後は、合成樹脂製被覆部４０を挿入した係止芯部３５，３６の元部側は閉じられ、合成樹脂製被覆部４０が外れない構造となっている。
【００５２】
受け具３１の取付部３２には、段差を付けた段差部３７が長手方向に沿った正面側に形成され、取付部３２の曲げ強度を向上させている。また、取付部３２の上部の係止部３３の真上位置に、滑り支持板３８が設けられ、ゲーム機の前扉５１を閉じる際、施錠装置の支持ローラ２２がこの滑り支持板３８の上を転動して前扉を支持する。
【００５３】
上記構成の施錠装置は、図１１、１２に示すように、ゲーム機の前扉５１の内側の右側端部（自由端側）に、取付板２を介して縦に固定され、キャビネット５０内の対向位置（右側壁部内面）に受け具３１が取り付けられる。施錠装置のシリンダ錠７の鍵口は、前扉５１の前面上部に露出し、第２シリンダ錠１９の鍵口は前扉５１の右側面の上部に露出する。
【００５４】
前扉５１をキャビネット５０に対し閉じると、図１２に示すように、受け具３１の上下の係止部３３，３４が、施錠装置の上部と下部の開口凹部３ｂ、３ｃからラッチ部材１０，１０のラッチ凹部１５，１５内に進入する。このとき、図１４に示すように、係止部３３，３４の合成樹脂製被覆部４０の円柱部４１がラッチ部材１０，１０を押し込むようにして、ラッチ部材１０，１０が図１４の反時計方向に回動し、回動端までラッチ部材１０，１０が回動すると、ラッチ部材１０内の係止ピン１４がばね部材１３の付勢力によりガイド係止孔８内で移動し、これによって、係止ピン１４がガイド係止孔８のロック部８ａに進入する。
【００５５】
このとき、ラッチ部材１０，１０の回動がロックされ、図１４の左端図に示すように、ラッチ部材１０，１０のラッチ凹部１５、１５内に受け具３１の係止部３３，３４が拘束され、ラッチ部材１０，１０がそのラッチ位置に保持され、図１２に示すような施錠状態となる。このような施錠時、上述のように、ラッチ部材１０のラッチ凹部１５とそこに嵌入される受け具３１の合成樹脂製被覆部４０の円柱部４１は、適度な滑性を有した合成樹脂により成形されているため、非常にスムーズに施錠することができ、解錠動作も円滑に行なうことができる。また、耐磨耗性が良好な合成樹脂製のラッチ部材１０と受け具３１の使用により、当接・接触箇所の摩耗を少なくして、ラッチ部材や受け具を長期にわたり安定して動作させることができる。
【００５６】
そして、上記のように前扉５１を閉じて施錠状態とした後、さらに、鍵を第２シリンダ錠１９に差し込み右に回して施錠する。この操作により、ロック部材１８が、図１２の状態から図１３のように時計方向に回動し、カム部材２１と作動杆４の間に進入して、カム部材２１の係合凸部２１ａと作動杆４の係合孔４ｄの係合を不可能とする。また、このとき、ロック部材１８の先端が作動杆４のロック用係止部４ｈに当接した状態となり、作動杆４の上方への移動（解錠側への移動）が阻止される。したがって、図１３に示す施錠状態においては、作動杆４を針金などで解錠側に移動させようとしても、不可能となり、また、仮にシリンダ錠７の錠軸を回してカム部材２１を解錠方向に回動させようとしても、カム部材２１の回動は阻止され、不正解錠は防止される。
【００５７】
一方、ゲーム機のリセットなどを行なうために、機能スイッチ１７をスイッチングする場合、シリンダ錠７に鍵を差し込み左に回す。図７に示すように、ロック部材１８には開口部１８ａが設けられているため、シリンダ錠７に差し込んだ鍵を左に回した場合、カム部材２１が同方向に回動してその係合凸部２１ｂが開口部１８ａから進入して作動杆４の係合孔４ｃに係合し、作動杆４が下方に移動する。これにより、作動杆４のスイッチ作動部４ｅが機能スイッチ１７に作用する。したがって、施錠状態においても、作動杆４を下方に移動させて、機能スイッチ１７をスイッチングさせることができる。
【００５８】
前扉５１を解錠する場合、先ず第２シリンダ錠１９に鍵を差し込んで回し、その錠軸のロック部材１８を図１２，１３の反時計方向に回してそのロックを解除し、カム部材２１の回動（図３の反時計方向への回動）を許容した状態とする。次に、シリンダ錠７に鍵を挿入しその鍵を右に回すと、カム部材２１が同方向に回動し、カム部材２１の係合凸部２１ａが作動杆４の係合孔４ｄに係合し、作動杆４が上に移動する。これにより、作動杆４の上部と下部の作動係合部４ａ、４ｂ（支持板３のガイド係止孔８のロック部８ａに対向して位置する）が同様に上方に移動し、そのロック部８ａ内の係止ピン１４を図１５に示すように、上方に押すように作用する。
【００５９】
このとき、係止ピン１４は、図１５に示すように、ばね部材１３による付勢力によって、ロック部８ａからガイド係止孔８へと移動し、ラッチ部材１０，１０のラッチ位置でのロックが外れる。つまり、ラッチ部材１０，０はばね部材１３の付勢力により、図１５の時計方向に回動し、拘束されていた受け具３１の係止部３３，３４の合成樹脂製被覆部４０の円柱部４１がラッチ部材１０，１０のラッチ凹部１５、１５から外れ、開口凹部３ｂ、３ｃからも押し出されて解錠状態となる。
【００６０】
このように、施錠装置の施錠時には、ロック部材１８が作動杆４のロック用係止部４ｈに係止されて作動杆４の解錠方向への移動をロックされる状態にあるため、前扉５１の隙間から針金などの不正器具を差し込んで作動杆に引っ掛け、これを解錠方向に動かそうとしても不可能であり、作動杆４の移動による不正解錠を防止することができる。
【００６１】
また、シリンダ錠７の鍵を解錠時とは反対方向に回すと、カム部材２１が同方向に回動し、そこに係合する作動杆４が解錠時とは反対方向に移動し、作動杆４に設けたスイッチ作動部４ｅが機能スイッチ１７に作用して、機能スイッチ１７がスイッチング動作するから、作動杆４は、解錠用とスイッチ作動用に兼用される。このため、従来の施錠装置で使用されるスイッチ作動杆は不要となり、部品点数を削減し、組み立て作業を簡単化することができる。
【００６２】
また、作動杆４は、１本のばね部材（コイルばね）１６を１対の移動部材（ばね掛け部材１６ａ，１６ｂ）間に掛け渡し、１対の移動部材（ばね掛け部材１６ａ，１６ｂ）は作動杆４と基枠体１の支持板３に形成した各ガイド孔に上下動可能に係合して配設し、このばね部材１６によって、作動杆４を上下両方向にフローティング状態で支持する構造としたから、作動杆４は単純に１本のコイルばねによって、上下両方向に付勢力に抗して移動可能とし、ばね部材などの部品点数を削減して構造を簡単化することができる。
【図面の簡単な説明】
【００６３】
【図１】本発明の一実施例を示す施錠装置の左側面図である。
【図２】同施錠装置の右側面図である。
【図３】同施錠装置の背面図（ａ）と平面図（ｂ）である。
【図４】同施錠装置の分解右側面図である。
【図５】同施錠装置の分解背面図である。
【図６】ラッチ部材の分解斜視図（ａ）とその背面図（ｂ）である。
【図７】（ａ）は施錠装置上部のシリンダ錠と第２シリンダ錠を示す正面側からの部分斜視図、（ｂ）は背面側からの部分斜視図である。
【図８】受け具の正面左側からの斜視図である。
【図９】受け具の背面側からの斜視図である。
【図１０】受け具の係止部に合成樹脂製被覆部を嵌め込む際の分解斜視図である。
【図１１】使用状態を示す前扉開放時の断面付きの右側面図である。
【図１２】使用状態を示す前扉閉鎖時の断面付きの右側面図である。
【図１３】前扉を閉鎖し第２シリンダ錠をロックした状態の断面付きの右側面図である。
【図１４】施錠時のラッチ部材の動きを示す説明図である。
【図１５】解錠時のラッチ部材の動きを示す説明図である。
【符号の説明】
【００６４】
１      基枠体
２      取付板
３      支持板
３ｂ、３ｃ  開口凹部
４      作動杆
４ａ、４ｂ  作動係合部
４ｃ    係合孔
４ｄ    係合孔
４ｅ    スイッチ作動部
４ｈ    ロック用係止部
５      枢軸
７      シリンダ錠
８      ガイド係止孔
８ａ    ロック部
１０    ラッチ部材
１４    係止ピン
１５    ラッチ凹部
１７    機能スイッチ
１８    ロック部材
１９    第２シリンダ錠
２１    カム部材
３１    受け具
５０    キャビネット
５１    前扉
【図１】
2008168066.tif 000003
【図２】
2008168066.tif 000004
【図３】
2008168066.tif 000005
【図４】
2008168066.tif 000006
【図５】
2008168066.tif 000007
【図６】
2008168066.tif 000008
【図７】
2008168066.tif 000009
【図８】
2008168066.tif 000010
【図９】
2008168066.tif 000011
【図１０】
2008168066.tif 000012
【図１１】
2008168066.tif 000013
【図１２】
2008168066.tif 000014
【図１３】
2008168066.tif 000015
【図１４】
2008168066.tif 000016
【図１５】
2008168066.tif 000017